(57)【要約】【課題】介護用ベッドにおいて、使用者の安全を確保しつつ、背ボトムを円滑に水平姿勢と背上げ姿勢とに切り換える。【解決手段】背ボトム４１と脚ボトム４２とを備え、背ボトム４１を水平姿勢と背上げ姿勢とに切換可能な介護用ベッド１０である。背ボトム４１のベッド幅方向の端部には頭側取付部４１ｂが形成され、脚ボトム４２のベッド幅方向端部には頭側取付部４１ｂと同一直線上に脚側取付部４２ｂが形成されている。脚側取付部４２ｂに取付けられた脚側サイドレール３は、脚ボトム４２のベッド前後方向頭側の端部よりも頭側に延長され、水平姿勢では頭側取付部４１ｂに取付けられた頭側サイドレール１とベッド幅方向視にて重なり合った状態でベッド幅方向外側に弾性的に湾曲する一方、背上げ姿勢では頭側サイドレール１及び頭側取付部４１ｂとベッド幅方向視にて重なり合った状態で弾性的に湾曲する。【選択図】図２
2009279346.tif 000002
【特許請求の範囲】
【請求項１】
背ボトムと、脚ボトムとを備え、上記背ボトムを、略水平な水平姿勢と、該背ボトムのベッド前後方向頭側が脚側よりも上方となるように該脚ボトムに対して傾斜させた背上げ姿勢とに切換可能な介護用ベッドであって、
上記背ボトムにおけるベッド幅方向の少なくとも一方側の端部には、ベッド前後方向に延びる頭側取付部が形成され、
上記脚ボトムにおけるベッド幅方向の少なくとも上記一方側の端部には、上記頭側取付部と同一直線上になるようにベッド前後方向に延びる脚側取付部が形成され、
上記頭側取付部にベッド前後方向に延びるように取り付けられた頭側サイドレールと、
上記脚側取付部にベッド前後方向に延びるように取り付けられた脚側サイドレールとを備え、
上記脚側サイドレールは、上記脚ボトムのベッド前後方向頭側の端部よりもさらにベッド前後方向頭側に延長されており、上記背ボトムの水平姿勢では、ベッド幅方向視にて上記頭側サイドレールと重なり合った状態でベッド幅方向内側又は外側に弾性的に湾曲する一方、上記背ボトムの背上げ姿勢では、ベッド幅方向における上記頭側サイドレールとの位置関係を維持しながら、ベッド幅方向視にて該頭側サイドレール及び上記頭側取付部と重なり合った状態で弾性的に湾曲するように構成されていることを特徴とする介護用ベッド。
【請求項２】
請求項１記載の介護用ベッドにおいて、
上記脚側サイドレールのベッド前後方向頭側の端部には、その下端から下方に突出する突起部が形成されており、
上記脚側サイドレールは、上記水平姿勢では、上記突起部が上記頭側取付部のベッド幅方向内側又は外側の面に当接することにより弾性的に湾曲している一方、上記背上げ姿勢では、該脚側サイドレールのベッド幅方向内側の面が上記頭側取付部のベッド幅方向外側の面に当接することにより、又は該脚側サイドレールのベッド幅方向外側の面が上記頭側取付部のベッド幅方向内側の面に当接することにより弾性的に湾曲するように構成されていることを特徴とする介護用ベッド。
【請求項３】
請求項１又は２記載の介護用ベッドにおいて、
上記頭側サイドレールは、少なくともベッド幅方向視にて上記脚側サイドレールと重なり合った部分で上記頭側取付部に取り付けられている一方、上記脚側サイドレールは、ベッド幅方向視にて上記頭側サイドレールと重なり合った部分よりもベッド前後方向脚側の部分で上記脚側取付部に取り付けられていることを特徴とする介護用ベッド。
【発明の詳細な説明】
【技術分野】
【０００１】
本発明は、一般家庭や病院等で使用する介護用ベッドに関するものである。
【背景技術】
【０００２】
従来から、ベッドの使用者が上半身を起こすのをサポートするために、背ボトムを、略水平な水平姿勢と、背ボトムの頭側が脚ボトムよりも上方となるように脚ボトムに対して傾斜させた背上げ姿勢とに切換可能な介護用ベッドが知られている。この種の介護用ベッドでは、ベッドの側縁に設置された側柵を固定したままで背ボトムだけを傾斜させるものもあるが、背上げ姿勢でも側方に倒れた使用者が転落するのを抑えることができるように、側柵を頭側と脚側とに二分割し、頭側の側柵を背ボトム自体に取り付けて背ボトムとともに傾斜させるものが多い。
【０００３】
しかしながら、頭側の側柵を背ボトムの動きに追従させるタイプの介護用ベッドには、以下のような問題がある。すなわち、このような介護用ベッドでは、背ボトムを水平姿勢から背上げ姿勢に切り換える際、頭側の側柵と脚側の側柵とが干渉しないように、これらの側柵を所定の間隔をあけて設置することから、水平姿勢ではこれらの側柵の間から使用者が転落するおそれがある。
【０００４】
このような問題を解決するために、例えば、特許文献１では、ベッド長手方向に移動可能な頭側及び脚側の側柵をそれぞれ背ボトムと脚ボトムに取り付けて、背ボトムの水平姿勢ではこれらの側柵を互いに近づける一方、背ボトムの背上げ姿勢に切り換える際にはこれらの側柵を互いに遠ざける構造が開示されている。
【０００５】
また、例えば、特許文献２では、頭側の側柵を脚側の側柵よりもベッド幅方向外側に間隔をあけて配置し、背ボトムを水平姿勢から背上げ姿勢に切り換える際、これらの側柵が互いにぶつからないようにした構造が開示されている。
【特許文献１】特開２００２−２５３６２１号公報
【特許文献２】特開２０００−１４００３８号公報
【発明の開示】
【発明が解決しようとする課題】
【０００６】
しかしながら、上記特許文献１のものでは、背上げ姿勢から水平姿勢に戻した際、頭側及び脚側の側柵を互いに近づけるように移動させるのを忘れたり、怠ったりした場合には、これらの側柵の間から使用者が転落するおそれがある。
【０００７】
また、上記特許文献２のものでは、頭側の側柵と脚側の側柵とが幅方向に間隔をあけて配置されていることから、背ボトムを水平姿勢から背上げ姿勢に切り換える際、頭側の側柵と脚側の側柵との間に使用者の手や指等が挟まれるおそれがある。
【０００８】
本発明は、かかる点に鑑みてなされたものであり、その目的とするところは、介護用ベッドにおいて、使用者の安全を確保しつつ、背ボトムを円滑に水平姿勢と背上げ姿勢とに切り換えることができる技術を提供することにある。
【課題を解決するための手段】
【０００９】
第１の発明は、背ボトムと、脚ボトムとを備え、上記背ボトムを、略水平な水平姿勢と、該背ボトムのベッド前後方向頭側が脚側よりも上方となるように該脚ボトムに対して傾斜させた背上げ姿勢とに切換可能な介護用ベッドであって、上記背ボトムにおけるベッド幅方向の少なくとも一方側の端部には、ベッド前後方向に延びる頭側取付部が形成され、上記脚ボトムにおけるベッド幅方向の少なくとも上記一方側の端部には、上記頭側取付部と同一直線上になるようにベッド前後方向に延びる脚側取付部が形成され、上記頭側取付部にベッド前後方向に延びるように取り付けられた頭側サイドレールと、上記脚側取付部にベッド前後方向に延びるように取り付けられた脚側サイドレールとを備え、上記脚側サイドレールは、上記脚ボトムのベッド前後方向頭側の端部よりもさらにベッド前後方向頭側に延長されており、上記背ボトムの水平姿勢では、ベッド幅方向視にて上記頭側サイドレールと重なり合った状態でベッド幅方向内側又は外側に弾性的に湾曲する一方、上記背ボトムの背上げ姿勢では、ベッド幅方向における上記頭側サイドレールとの位置関係を維持しながら、ベッド幅方向視にて該頭側サイドレール及び上記頭側取付部と重なり合った状態で弾性的に湾曲するように構成されていることを特徴とするものである。
【００１０】
第２の発明は、上記第１の発明において、上記脚側サイドレールのベッド前後方向頭側の端部には、その下端から下方に突出する突起部が形成されており、上記脚側サイドレールは、上記水平姿勢では、上記突起部が上記頭側取付部のベッド幅方向内側又は外側の面に当接することにより弾性的に湾曲している一方、上記背上げ姿勢では、該脚側サイドレールのベッド幅方向内側の面が上記頭側取付部のベッド幅方向外側の面に当接することにより、又は該脚側サイドレールのベッド幅方向外側の面が上記頭側取付部のベッド幅方向内側の面に当接することにより弾性的に湾曲するように構成されていることを特徴とするものである。
【００１１】
第３の発明は、上記第１又は２の発明において、上記頭側サイドレールは、少なくともベッド幅方向視にて上記脚側サイドレールと重なり合った部分で上記頭側取付部に取り付けられている一方、上記脚側サイドレールは、ベッド幅方向視にて上記頭側サイドレールと重なり合った部分よりもベッド前後方向脚側の部分で上記脚側取付部に取り付けられていることを特徴とするものである。
【発明の効果】
【００１２】
上記第１の発明によれば、背ボトムの水平姿勢及び背上げ姿勢のいずれの姿勢でも、頭側サイドレールと脚側サイドレールとがベッド幅方向視にて重なり合っていることから、ベッド前後方向において頭側サイドレールと脚側サイドレールとの間に間隔が生じることがないので、これらの間から使用者が転落するのを防ぐことができる。
【００１３】
また、背ボトムの水平姿勢及び背上げ姿勢のいずれの姿勢でも、脚側サイドレールは弾性的に湾曲することにより、頭側サイドレールと重なり合っていることから、ベッド幅方向における頭側サイドレールと脚側サイドレールとの隙間を極めて小さくすることができる。これにより、背ボトムを水平姿勢と背上げ姿勢とに切り換える際、使用者の手や指等が頭側サイドレールと脚側サイドレールとの隙間に挟まれるのを抑えることができる。
【００１４】
さらに、脚側サイドレールは、背ボトムの背上げ姿勢では、水平姿勢におけるベッド幅方向での頭側サイドレールとの位置関係を維持しながら、ベッド幅方向視にて頭側サイドレール及び頭側取付部と重なり合った状態で弾性的に湾曲するように構成されているので、背ボトムを水平姿勢から背上げ姿勢に切り換える際、頭側サイドレールと脚側サイドレールとが干渉するのを抑えることができる。
【００１５】
したがって、上記第１の発明によれば、使用者の安全を確保しつつ、背ボトムを円滑に水平姿勢と背上げ姿勢とに切り換えることができる。
【００１６】
上記第２の発明によれば、脚側サイドレールを脚側取付部に取り付ける際、突起部を頭側取付部に引っ掛けるだけの簡単な作業で、脚側サイドレールをベッド幅方向内側又は外側に弾性的に湾曲させることができる。これにより、脚側サイドレールを脚側取付部に取り付けた状態でも、頭側サイドレールの取り付け又は取り外しを容易に行うことができる。したがって、頭側サイドレール及び脚側サイドレールの取り付け又は取り外しを行う際の作業性が向上する。
【００１７】
上記第３の発明によれば、頭側サイドレールを少なくともベッド幅方向視にて脚側サイドレールと重なり合った部分で頭側取付部に取り付けることにより、頭側サイドレールをベッド幅方向に変形し難くすることができるとともに、脚側サイドレールをベッド幅方向視にて頭側サイドレールと重なり合った部分よりもベッド前後方向脚側の部分で脚側取付部に取り付けることにより、脚側サイドレールをベッド幅方向に変形し易くすることができる。したがって、脚側サイドレールと頭側サイドレールとが同じ材質の場合でも、簡単な構造で、ベッド幅方向内側又は外側に弾性的に湾曲させることができる。
【発明を実施するための最良の形態】
【００１８】
以下、本発明の実施形態を図面に基づいて詳細に説明する。
【００１９】
図１は、本発明の実施形態に係る介護用ベッドの構成を示す斜視図、図２はその平面図、図３はその側面図、図４は本体フレームの構成を示す平面図、図５はその側面図である。図１〜図５に示すように、この介護用ベッド１０は、本体フレーム２０と、本体フレーム２０に載置されたボトム４０と、本体フレーム２０のベッド前後方向（長手方向）頭側（前側）に配設されたヘッドボード１１と、ベッド前後方向脚側（後側）に配設されたフットボード１２と、本体フレーム２０の下部でベッド前後方向に間隔をあけて配設された一対のベッド支持脚１５，１５とを備えている。以下、「ベッド前後方向頭側」を単に「頭側」と、「ベッド前後方向脚側」を「脚側」という。
【００２０】
上記本体フレーム２０は、角パイプ製の複数本のフレームを組み立てて構成したものであり、ベッド前後方向に延びる左右一対の頭側フレーム２１，２１と、頭側フレーム２１，２１の脚側の端部に接続されてベッド前後方向に延びる左右一対の脚側フレーム２２，２２とを備えている。
【００２１】
上記頭側フレーム２１，２１は、ベッド前後方向に間隔をあけて配設された、頭側フレーム２１，２１同士を連結する連結フレーム２１ａ，２１ａを有しているとともに、頭側フレーム２１，２１の頭側の端面にはフランジ部２１ｂ，２１ｂが設けられ、このフランジ部２１ｂ，２１ｂに上記ヘッドボード１１が取り付けられている。また、脚側フレーム２２，２２の脚側の端面にはフランジ部２２ａ，２２ａが設けられ、このフランジ部２２ａ，２２ａにフットボード１２が取り付けられている。
【００２２】
また、上記本体フレーム２０の上記頭側フレーム２１側には、脚側がベッド幅方向に延びる回動軸２５ａを介してその軸２５ａ周りに回動可能に取り付けられて後述する背ボトム４１の背上げを行う角パイプ製の背上げフレーム２５が備えられている。
【００２３】
一方、上記本体フレーム２０の上記脚側フレーム２２側には、頭側がベッド幅方向に延びる回動軸２６ａを介してその軸２５ａ周りに回動可能に取り付けられて、図１０に示すように背ボトム４１の背上げ動作時に連動して脚の付け根側の大腿部のみを支え上げる角パイプ製の大腿部支え上げフレーム２６が設けられている。
【００２４】
ここで、背上げフレーム２５を駆動するための機構及び大腿部支え上げフレーム駆動機構について、図５及び図１０を用いて説明する。図５及び図１０に示すように、この背上げフレーム駆動機構は、背上げフレーム２５の回動軸２５ａ側の中央部に設けられた背上げ駆動ブラケット６１と、この背上げ駆動ブラケット６１に駆動源としてのモータ６２からの駆動力を伝達する機構として軸方向に進退駆動されるリニアアクチュエータ６３とを備えている。
【００２５】
上記モータ６２は、図示しないリモコンによる操作で駆動制御されるようになっている。背上げ駆動ブラケット６１には、背上げフレーム２５の回動軸２５ａ近傍の下面に当接して、モータ６２によりリニアアクチュエータ６３を介して駆動される背上げ駆動ブラケット６１の駆動力を背上げフレーム２５に伝達する駆動フレーム（図示せず）が一体に固定されている。
【００２６】
一方、上記大腿部支え上げフレーム駆動機構は、一端側が背上げ駆動ブラケット６１にピン結合等により回動自在に取り付けられ、他端側が大腿部支え上げフレーム２６の下面側中央部に設けられたローラ６４に当接する大腿部支え上げフレーム駆動ロッド６５と、下端側が本体フレーム２０側から下方に突設された突出片６６にピン結合等により回動自在に取り付けられ、上端側が大腿部支え上げフレーム駆動ロッド６５の略中央部にピン結合等により回動自在に取り付けられたロッド支持プレート６７とを備えている。
【００２７】
次に、このように構成された背上げ機構付きの介護用ベッド１０の背上げ動作及び大腿部支え上げ動作について説明する。まず、背上げ動作時には、利用者本人やその介護者がリモコンを操作して、モータ６２をリニアアクチュエータ６３が縮む方向に作動させると、リニアアクチュエータ６３の先端が連結された背上げ駆動ブラケット６１が図５の反時計回りの回動してその下端が下方に動き、背上げフレーム２５が上がる。この動きに連動して、大腿部支え上げフレーム駆動ロッド６５が引っ張られて、その略中央部に上端側が回動自在に取り付けられたロッド支持プレート６７が下端側の固定回動軸を中心に時計回りの回動してその上端が上方に動き、図１０に示す背ボトム４１の背上げ姿勢となる。この背ボトム４１の背上げ姿勢から逆に背下げを行うときは逆の動作を行えばよい。
【００２８】
上記脚側フレーム２２，２２上には、ベッド前後方向に間隔をあけてベッド幅方向に延びる３本の補強フレーム２７ａ，２７ｂ，２７ｃが配設されている。これら３本の補強フレーム２７ａ，２７ｂ，２７ｃのうち脚側寄りに配設された２本の補強フレーム２７ｂ，２７ｃのベッド幅方向両端部には、後述する脚側サイドレール３を取り付けるための、上方に開口した脚側取付パイプ２９，２９が設けられている。また、背上げフレーム２５の左右一対のフレームにも、後述する頭側サイドレール１を取り付けるための、上方に開口した頭側取付パイプ２８，２８がベッド前後方向に間隔をあけて設けられている。これら脚側取付パイプ２９，２９と頭側取付パイプ２８，２８とは、ベッド前後方向に延びる同一直線状に配置されている。
【００２９】
上記背上げフレーム２５や大腿部支え上げフレーム２６及びその他の本体フレーム２０上には、背上げフレーム２５や大腿部支え上げフレーム２６の動作に支障をきたさないように例えば樹脂製のボトム４０が載置され、その上にベッドマットレス（図示せず）が載置される。
【００３０】
上記ボトム４０は、図１及び図２に示すように、ベッド前後方向に配置された５枚のパネルで構成されている。具体的に、頭側フレーム２１上（より正確には背上げフレーム２５上）には、１枚のパネルで構成されている背ボトム４１が載置固定されており、この背ボトム４１は背上げフレーム２５とともに背上げされる。また、脚側フレーム２２，２２上には３枚のパネルで構成されている脚ボトム４２が載置固定されている。さらに、大腿部支え上げフレーム２６上には、中間ボトム４３が載置固定されており、この中間ボトム４３は大腿部支え上げフレーム２６とともに支え上げられる。なお、脚ボトム４２を３枚のパネルで構成しているのは、脚ボトム４２を分割することにより、持ち運び易くするためである。
【００３１】
このように、背上げフレーム２５上に背ボトム４１が載置固定されることにより、介護用ベッド１０は、背ボトム４１を、略水平な水平姿勢（図１参照）と、該背ボトム４１の頭側が脚ボトム４２よりも上方となるように該脚ボトム４２に対して傾斜させた背上げ姿勢（図９参照）とに切換可能となっている。
【００３２】
上記背ボトム４１は、マットレス等を敷くための平面部４１ａを有しているとともに、該背ボトム４１のベッド幅方向左右両側の端部には、ベッド表面側に膨出し且つベッド前後方向に延びる、上記頭側サイドレール１を取り付けるための頭側取付部４１ｂ，４１ｂが形成されている。
【００３３】
上記背ボトム４１の平面部４１ａには、ベッド前後方向に延びる長孔４８が縦横に並ぶように間隔をあけて複数形成されており、パネルの軽量化に寄与している。また、ベッド幅方向左右両側の頭側取付部４１ｂ，４１ｂには、それぞれ背上げフレーム２５の２つの頭側取付パイプ２８，２８に対応する位置に２つの挿通孔４１ｃ，４１ｃが形成されている。
【００３４】
上記脚ボトム４２は、マットレス等を敷くための平面部４２ａを有しているとともに、該脚ボトム４２におけるベッド幅方向左右両側の端部には、ベッド表面側に膨出し且つ上記頭側取付部４１ｂ，４１ｂと同一直線上になるようにベッド前後方向に延びる、上記脚側サイドレール３を取り付けるための脚側取付部４２ｂ，４２ｂが形成されている。
【００３５】
上記脚ボトム４２の平面部４２ａには、上記背ボトム４１と同様に、ベッド前後方向に延びる長孔４９が縦横に並ぶように間隔をあけて複数形成されており、パネルの軽量化に寄与している。また、ベッド幅方向左右両側の脚側取付部４２ｂ，４２ｂには、それぞれ脚側フレーム２２の２つの脚側取付パイプ２９に対応する位置に２つの挿通孔４２ｃ，４２ｃが形成されている。
【００３６】
上記頭側サイドレール１は、上記左右両側の頭側取付部４１ｂ，４１ｂのうち左側の頭側取付部４１ｂにベッド前後方向に延びるように着脱自在に取り付けられ、使用者が介護用ベッド１０の頭側から転落するのを抑制するようになっている。また、この頭側サイドレール１は、樹脂製で外力が加わると弾性的に変形するようになっている。
【００３７】
上記頭側サイドレール１は、図６に示すように、丸みを帯びた略直角三角形状に形成されているとともに、図２に示すように、背ボトム４１のベッド前後方向における長さと略同じ長さに形成されている。また、頭側サイドレール１は、頭側取付部４１ｂのベッド幅方向における幅よりも僅かに薄く形成されていて、頭側取付部４１ｂのベッド幅方向外側（左側）の面よりもベッド幅方向内側に位置している。
【００３８】
上記頭側サイドレール１の頭側の上端部には、ベッド前後方向に延びる長孔７が形成されている。このように、頭側サイドレール１に長孔７を形成するのは、介護用ベッド１０に在床している使用者に閉鎖感を与えないためである。
【００３９】
さらに、頭側サイドレール１の下端部には、脚側の端部と頭側の端部との２箇所に、頭側サイドレール１のベッド幅方向内側及び外側の面をそれぞれコ字状に窪ませた段差部１ａ，１ｂが形成されている。この頭側サイドレール１は、図８に示すように、断面略Ｕ字状の継手部５ａと支柱部５ｂとを備える連結部材５によって頭側取付部４１ｂに取り付けられるようになっている。より詳しくは、頭側サイドレール１は、連結部材５の継手部５ａ，５ａが、段差部１ａ，１ｂに嵌められた後、該連結部材５の支柱部５ｂ，５ｂが、上記挿通孔４１ｃ，４１ｃに挿通された状態で背上げフレーム２５の頭側取付パイプ２８，２８に挿入されることにより、頭側取付部４１ｂに取り付けられるように構成されている。
【００４０】
一方、上記脚側サイドレール３は、上記左右両側の脚側取付部４２ｂ，４２ｂのうち左側の脚側取付部４２ｂにベッド前後方向に延びるように着脱自在に取り付けられ、使用者が介護用ベッド１０の脚側から転落するのを抑制するようになっている。この脚側サイドレール３は、上記頭側サイドレール１と同様、樹脂製で外力が加わると弾性的に変形するようになっている。
【００４１】
上記脚側サイドレール３は、図７に示すように、下端縁が直線形状で且つ上端縁が湾曲形状に形成されているとともに、脚側サイドレール３は、脚ボトム４２の頭側の端部４２ｄよりもさらに頭側に延長されている。言い換えると、脚側サイドレール３の頭側の端部は、脚側取付部４２ｂのベッド前後方向頭側の端部を超えて、頭側取付部４１ｂまで延びている。また、脚側サイドレール３は、図２に示すように、脚側取付部４２ｂのベッド幅方向における幅よりも僅かに薄く形成されていて、脚側取付部４２ｂのベッド幅方向外側（左側）の面よりもベッド幅方向内側に位置している。
【００４２】
上記脚側サイドレール３の脚側及び略中央の上端部には、ベッド前後方向に延びる長孔９ａ，９ｂが形成されている。このように、脚側サイドレール３に長孔９ａ，９ｂを形成するのは、介護用ベッド１０に在床している使用者に閉鎖感を与えないためである。なお、脚側サイドレール３の頭側の上端部に長孔が形成されていないのは、水平姿勢から背上げ姿勢に切り換える際、使用者の手や指等が長孔と頭側サイドレール１とに挟まれるのを抑えるためである。また、脚側サイドレール３の頭側の端部には、その下端から下方に突出する突起部３ｃが形成されている。この突起部３ｃは、ベッド幅方向視にて丸みを帯びた略三角形状に形成されているとともに、そのベッド幅方向の厚さが下方に行くに従って薄くなるように形成されている。
【００４３】
さらに、脚側サイドレール３の下端部には、脚側の端部近傍とベッド前後方向略中央部との２箇所に、脚側サイドレール３のベッド幅方向内側及び外側の面をそれぞれコ字状に窪ませた段差部３ａ，３ｂが形成されている。脚側サイドレール３は、図８に示すように、上記連結部材５の継手部５ａが、この段差部３ａ，３ｂに嵌められた後、該連結部材５の支柱部５ｂ，５ｂが、上記挿通孔４２ｃ，４２ｃに挿通された状態で脚側フレーム２２の脚側取付パイプ２９，２９に挿入されることにより、脚側取付部４２ｂに取り付けられるように構成されている。このように、脚側サイドレール３をベッド前後方向略中央部（段差部３ａ）よりも脚側に取り付けることにより、脚側サイドレール３の頭側の端部が自由端となるように片持ち梁のような形で支持されることになるので、ベッド幅方向に変形し易くなっている。このため、背ボトム４１の水平姿勢で脚側サイドレール３を脚側取付部４２ｂに取り付ける際、上記突起部３ｃのベッド幅方向内側の面を頭側取付部４１ｂのベッド幅方向外側の面に当接させる（引っ掛ける）ことにより、脚側サイドレール３のうち頭側の端部が、ベッド幅方向外側に容易に湾曲するようになっている。
【００４４】
上述のように、頭側サイドレール１が背ボトム４１のベッド前後方向における長さと略同じ長さに形成されているとともに、脚側サイドレール３が脚ボトム４２の頭側の端部４２ｄよりもさらに頭側に延長されていることから、上記水平姿勢では、脚側サイドレール３の頭側の端部は、ベッド幅方向視にて頭側サイドレール１の脚側の端部と重なり合うことになる。すなわち、本発明の介護用ベッド１０は、水平姿勢では、ベッド前後方向に関して頭側サイドレール１と脚側サイドレール３との間に間隔が生じない構成となっている。
【００４５】
また、脚側サイドレール３は、頭側取付部４１ｂと同一直線状にある脚側取付部４２ｂに取り付けられているとともに、平面視で頭側サイドレール１よりも僅かに外側に位置する頭側取付部４１ｂのベッド幅方向外側の面に突起部３ｃのベッド幅方向内側の面を当接させることによりベッド幅方向外側に弾性的に湾曲していることから、頭側サイドレール１と脚側サイドレール３との間の、ベッド幅方向の隙間が極めて小さくなるようになっている。
【００４６】
一方、脚側サイドレール３は、上記背上げ姿勢では、そのベッド幅方向内側の面が頭側取付部４１ｂのベッド幅方向外側の面に当接することによりベッド幅方向外側に弾性的に湾曲するように構成されている。より詳しくは、上記背上げフレーム駆動機構により背ボトム４１を上げていくと、頭側取付部４１ｂもこれにともなって上がっていくことになり、背ボトム４１の傾斜角が所定の角度のときに、突起部３ｃと頭側取付部４１ｂのベッド幅方向外側の面とが接触しなくなるとともに、脚側サイドレール３のベッド幅方向内側の面が頭側取付部４１ｂのベッド幅方向外側の面に当接することになる。
【００４７】
上述の通り、脚側サイドレール３は、その下端が、頭側の端部（ベッド幅方向視にて頭側サイドレール１と重なり合った部分）よりも脚側で脚側取付部４２ｂに取り付けられていることから、そのベッド幅方向内側の面が頭側取付部４１ｂのベッド幅方向外側の面に当接した場合にも、ベッド幅方向外側に容易に湾曲することになる。このため、脚側サイドレール３は、ベッド幅方向における頭側サイドレール１との配置関係を維持しながら、ベッド幅方向視にて頭側サイドレール１及び頭側取付部４１ｂと重なり合った状態で弾性的に湾曲する。このように、脚側サイドレール３と頭側サイドレール１とは、背ボトム４１を水平姿勢から背上げ姿勢に切り換える際にも、互いに干渉しない（背上げ動作の支障にならない）ように構成されているとともに、背上げ姿勢でもベッド幅方向における互いの隙間が極めて小さくなるようになっている。
【００４８】
（効果）
本実施形態に係る介護用ベッド１０によれば、背ボトム４１の水平姿勢及び背上げ姿勢のいずれの姿勢でも、頭側サイドレール１と脚側サイドレール３とがベッド幅方向視にて重なり合っていることから、ベッド前後方向において頭側サイドレール１と脚側サイドレール３との間に間隔が生じることがないので、これらの間から使用者が転落するのを防ぐことができる。
【００４９】
また、背ボトム４１の水平姿勢及び背上げ姿勢のいずれの姿勢でも、脚側サイドレール３は弾性的に湾曲することにより、頭側サイドレール１と重なり合っていることから、ベッド幅方向における頭側サイドレール１と脚側サイドレール３との隙間を極めて小さくすることができる。これにより、背ボトム４１を水平姿勢と背上げ姿勢とに切り換える際、使用者の手や指等が頭側サイドレール１と脚側サイドレール３との間に挟まれるのを抑えることができる。
【００５０】
さらに、脚側サイドレール３は、背ボトム４１の背上げ姿勢では、水平姿勢におけるベッド幅方向での頭側サイドレール１との位置関係を維持しながら、ベッド幅方向視にて頭側サイドレール１及び頭側取付部４１ｂと重なり合った状態で弾性的に湾曲するように構成されているので、背ボトム４１を水平姿勢から背上げ姿勢に切り換える際、頭側サイドレール１と脚側サイドレール３とが干渉するのを抑えることができる。
【００５１】
したがって、上記第１の発明によれば、使用者の安全を確保しつつ、背ボトム４１を円滑に水平姿勢と背上げ姿勢とに切り換えることができる。
【００５２】
また、脚側サイドレール３を脚側取付部４２ｂに取り付ける際、突起部３ｃを頭側取付部４１ｂに引っ掛けるだけの簡単な作業で、脚側サイドレール３をベッド幅方向外側に弾性的に湾曲させることができる。これにより、脚側サイドレール３を脚側取付部４２ｂに取り付けた状態でも、頭側サイドレール１の取り付け又は取り外しを容易に行うことができる。したがって、頭側サイドレール１及び脚側サイドレール３の取り付け又は取り外しを行う際の作業性が向上する。
【００５３】
さらに、頭側サイドレール１を少なくともベッド幅方向視にて脚側サイドレール３と重なり合った部分で頭側取付部４１ｂに取り付けることにより、頭側サイドレール１をベッド幅方向に変形し難くすることができるとともに、脚側サイドレール３をベッド幅方向視にて頭側サイドレール１と重なり合った部分よりもベッド前後方向脚側の部分で脚側取付部４２ｂに取り付けることにより、脚側サイドレール３をベッド幅方向に変形し易くすることができる。したがって、脚側サイドレール３と頭側サイドレール１とが同じ材質の場合でも、簡単な構造で、ベッド幅方向外側に弾性的に湾曲させることができる。
【００５４】
＜その他の実施形態＞
上記実施形態では、突起部３ｃのベッド幅方向内側の面を頭側取付部４１ｂのベッド幅方向外側の面に当接させることにより、脚側サイドレール３をベッド幅方向外側に容易に弾性的に湾曲させたが、これに限らず、突起部３ｃを形成することなく、脚側サイドレール３を頭側サイドレール１に接触させてベッド幅方向外側に弾性的に湾曲させてもよい。この場合、頭側サイドレール１のベッド幅方向外側の面と脚側サイドレール３のベッド幅方向内側の面とが接触することになるが、頭側サイドレール１は、その下端が脚側サイドレール３と重なり合った部分（脚側の端部）の近傍で頭側取付部４１ｂに取り付けられていることからベッド幅方向に変形し難いのに対して、脚側サイドレール３は、その下端が頭側サイドレール１と重なり合った部分よりも脚側で頭側取付部４１ｂに取り付けられていることからベッド幅方向に変形し易いので、脚側サイドレール３をベッド幅方向外側に容易に湾曲させることができる。
【００５５】
また、上記実施形態では、脚側サイドレール３は、ベッド幅方向外側に弾性的に湾曲するようになっているが、これに限らず、ベッド幅方向内側に弾性的に湾曲するようにしてもよい。なお、この場合には、脚側サイドレール３の頭側の端部が近づくことにより、使用者が威圧感を受けないように、頭側サイドレール１と脚側サイドレール３との重なり合った部分を覆うためのカバー等を設けることが望ましい。
【００５６】
さらに、上記実施形態では、介護用ベッド１０のベッド幅方向左側のみに頭側サイドレール１及び脚側サイドレール３を設置したが、これに限らず、ベッド幅方向右側のみに頭側サイドレール１及び脚側サイドレール３を設置してもよいし、ベッド幅方向左右両側に頭側サイドレール１及び脚側サイドレール３を設置してもよい。
【００５７】
また、上記実施形態では、介護用ベッド１０として、ベッド前後方向に伸縮しないタイプのものを用いたが、これに限らず、例えば、ベッド前後方向に伸縮可能な構造としても良い。
【００５８】
さらに、上記実施形態では、脚側サイドレール３の下端を、ベッド幅方向視にて頭側サイドレール１と重なり合った部分よりも脚側で頭側取付部４１ｂに取り付けることにより、脚側サイドレール３をベッド幅方向に変形し易くしているが、これに限らず、例えば、脚側サイドレール３の材料として頭側サイドレール１の材料よりも柔らかい材料を用いることにより、脚側サイドレール３をベッド幅方向に変形し易くしてもよい。
【００５９】
本発明は、実施形態に限定されず、その精神又は主要な特徴から逸脱することなく他の色々な形で実施することができる。
【００６０】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６１】
以上説明したように、本発明は、一般家庭や病院等で使用する介護用ベッド等について有用である。
【図面の簡単な説明】
【００６２】
【図１】本発明の実施形態に係る介護用ベッドの構成を示す斜視図である。
【図２】介護用ベッドの構成を示す平面図である。
【図３】介護用ベッドの構成を示す側面図である。
【図４】本体フレームの構成を示す平面図である。
【図５】本体フレームの構成を示す側面図である。
【図６】頭側サイドレールの構成を示す側面図である。
【図７】脚側サイドレールの構成を示す側面図である。
【図８】頭側及び脚側サイドレール取付方法を説明する斜視図である。
【図９】背上げ状態を示す斜視図である。
【図１０】背上げ状態を示す側面図である。
【符号の説明】
【００６３】
１      頭側サイドレール
３      脚側サイドレール
３ｃ    突起部
１０    介護用ベッド
４１    背ボトム
４１ｂ  頭側取付部
４２    脚ボトム
４２ｂ  脚側取付部
４２ｄ  ベッド前後方向頭側の端部
【図１】
2009279346.tif 000003
【図２】
2009279346.tif 000004
【図３】
2009279346.tif 000005
【図４】
2009279346.tif 000006
【図５】
2009279346.tif 000007
【図６】
2009279346.tif 000008
【図７】
2009279346.tif 000009
【図８】
2009279346.tif 000010
【図９】
2009279346.tif 000011
【図１０】
2009279346.tif 000012